(57)【特許請求の範囲】
【請求項１】
通信環境の測定対象となるアクセスポイントを介して通信可能に接続される測定サーバ及び無線端末を含む測定システムであって、
前記測定サーバは、
操作者の操作に応じて、前記通信環境の測定に係る処理を実行する測定部と、
前記操作に応じて、前記無線端末に対して前記通信環境の測定に係る処理の実行を指示する子機制御部と、
を備え、
前記無線端末は、
前記測定サーバによる指示に応じて、前記通信環境の測定に係る処理を実行し、実行された前記通信環境の測定に係る情報を前記測定サーバに送信する測定部、を備え、
前記無線端末の前記測定部は、前記無線端末に対して前記操作者が行った入力操作に応じて、前記測定サーバに処理の開始の要求を表す情報を送信し、
前記測定サーバの前記測定部及び前記子機制御部は、前記無線端末から送信された前記情報に応じて動作する測定システム。
【請求項２】
前記測定サーバの前記測定部及び前記子機制御部は、前記測定サーバに対して前記操作者が行った入力操作に応じて動作する、請求項１に記載の測定システム。
【請求項３】
前記無線端末の前記測定部は、前記測定サーバにおいて実行されるべきコマンドに対して前記コマンドの実行を指示するためのヘッダが付加されることによって生成される制御フレームを送信することによって、前記測定サーバに対して前記処理の開始の要求を表す情報を送信する、請求項１又は２に記載の測定システム。
【請求項４】
前記測定サーバは、前記無線端末から受信される情報であって前記無線端末において実行された前記通信環境の測定に係る情報と、前記測定部によって実行された処理に係る情報と、を表示する表示部をさらに備える、請求項１から請求項３のいずれか一項に記載の測定システム。
【請求項５】
前記子機制御部は、前記通信環境を表す指標を取得する制御信号に前記無線端末を制御するための信号を付加して前記無線端末に送信する、請求項１から請求項４のいずれか一項に記載の測定システム。
【請求項６】
前記無線端末の前記測定部は、前記通信環境を表す指標を取得する制御信号に前記測定サーバを制御するための信号を付加して前記測定サーバに送信する、請求項１から請求項５のいずれか一項に記載の測定システム。
【請求項７】
前記子機制御部は、前記無線端末において実行されるべきコマンドに対して前記コマンドの実行を指示するためのヘッダが付加されることによって生成される制御フレームを送信することによって、前記無線端末に対して前記通信環境の測定に係る処理の実行を指示する、通信環境の測定に係る処理を表す指標を取得する制御フレームに子機制御のためのコマンドを書き込んだヘッダを追加し無線端末に送信する、請求項１から請求項６のいずれか一項に記載の測定システム。
【請求項８】
通信環境の測定対象となるアクセスポイントを介して通信可能に接続される測定サーバ及び無線端末を含む測定システムの前記測定サーバであって、
操作者の操作に応じて、前記通信環境の測定に係る処理を実行する測定部と、
前記操作に応じて、前記無線端末に対して前記通信環境の測定に係る処理の実行を指示する子機制御部と、
を備え、
前記無線端末は、前記無線端末に対して前記操作者が行った入力操作に応じて、処理の開始の要求を表す情報を送信し、
前記測定部及び前記子機制御部は、前記無線端末から送信された前記情報に応じて動作する測定サーバ。
【請求項９】
通信環境の測定対象となるアクセスポイントを介して通信可能に接続される測定サーバ及び無線端末を含む測定システムの無線端末であって、
操作者の操作に応じて、前記通信環境の測定に係る処理を実行する測定部と、
前記操作に応じて、前記無線端末に対して前記通信環境の測定に係る処理の実行を指示する子機制御部と、を備える前記測定サーバによる指示に応じて、前記通信環境の測定に係る処理を実行し、実行された前記通信環境の測定に係る情報を前記測定サーバに送信する測定部、を備え、
前記測定部は、前記無線端末に対して前記操作者が行った入力操作に応じて、前記測定サーバに処理の開始の要求を表す情報を送信し、
前記測定サーバは、前記無線端末から送信された前記情報に応じて動作する無線端末。
【請求項１０】
通信環境の測定対象となるアクセスポイントを介して通信可能に接続される測定サーバ及び無線端末を含む測定システムの前記測定サーバとしてコンピュータを機能させるコンピュータプログラムであって、
操作者の操作に応じて、前記通信環境の測定に係る処理を実行する測定部と、
前記操作に応じて、前記無線端末に対して前記通信環境の測定に係る処理の実行を指示する子機制御部と、
を備え、
前記無線端末は、前記無線端末に対して前記操作者が行った入力操作に応じて、処理の開始の要求を表す情報を送信し、
前記測定部及び前記子機制御部は、前記無線端末から送信された前記情報に応じて動作する測定サーバとして前記コンピュータを機能させるコンピュータプログラム。
【請求項１１】
通信環境の測定対象となるアクセスポイントを介して通信可能に接続される測定サーバ及び無線端末を含む測定システムの無線端末としてコンピュータを機能させるコンピュータプログラムであって、
操作者の操作に応じて、前記通信環境の測定に係る処理を実行する測定部と、
前記操作に応じて、前記無線端末に対して前記通信環境の測定に係る処理の実行を指示する子機制御部と、を備える前記測定サーバによる指示に応じて、前記通信環境の測定に係る処理を実行し、実行された前記通信環境の測定に係る情報を前記測定サーバに送信する測定部、を備え、
前記測定部は、前記無線端末に対して前記操作者が行った入力操作に応じて、前記測定サーバに処理の開始の要求を表す情報を送信し、
前記測定サーバは、前記無線端末から送信された前記情報に応じて動作する無線端末としてコンピュータを機能させるコンピュータプログラム。
【発明の詳細な説明】
【技術分野】
【０００１】
本発明は、無線アクセスポイントの通信環境を測定する技術に関する。
【背景技術】
【０００２】
従来、無線アクセスポイントの通信環境を測定することが行われている（例えば、特許文献１参照）。例えば、無線アクセスポイントに有線で測定サーバを接続し、無線アクセスポイントと無線端末との間の無線通信に関する情報を取得することによって、通信環境の測定が行われている。
【０００３】
このような測定では、測定サーバ及び無線端末の双方を操作する必要がある。例えば、以下のような手順によって測定されることがある。まず、測定サーバの操作者は、測定サーバを待ち受け状態にするための操作を測定サーバにおいて行う。次に、無線端末の操作者は、測定サーバが待ち受け状態になったことを確認した後、無線端末から無線アクセスポイント経由で測定サーバに所定のデータを送信するための操作を無線端末において行う。この後、無線端末から測定サーバにデータが送信される。所定量のデータが送信されると、無線端末の操作者は、データの送信を停止するための操作を無線端末において行う。測定サーバの操作者は、測定サーバにおいて受信されたデータの量や時間に基づいて、通信環境を示す指標を取得する。そして、測定サーバの操作者は、待ち受け状態を終了させるための操作を測定サーバにおいて行う。以上のような操作が行われることによって、通信環境の測定が行われる。
【先行技術文献】
【特許文献】
【０００４】
【特許文献１】特開２００１−０５４１６５号公報
【発明の概要】
【発明が解決しようとする課題】
【０００５】
従来は無線アクセスポイントの通信環境を測定するための操作が煩雑であり、労力を要してしまうという問題があった。例えば、上述したように、通信環境の測定には測定サーバを操作する操作者と、無線端末を操作する操作者が必要となる問題があった。
【０００６】
上記事情に鑑み、本発明は、無線アクセスポイントの通信環境を測定するための労力を低減することを可能とする技術の提供を目的としている。
【課題を解決するための手段】
【０００７】
本発明の一態様は、通信環境の測定対象となるアクセスポイントを介して通信可能に接続される測定サーバ及び無線端末を含む測定システムであって、前記測定サーバは、操作者の操作に応じて、前記通信環境の測定に係る処理を実行する測定部と、前記操作に応じて、前記無線端末に対して前記通信環境の測定に係る処理の実行を指示する子機制御部と、を備え、前記無線端末は、前記測定サーバによる指示に応じて、前記通信環境の測定に係る処理を実行し、実行された前記通信環境の測定に係る情報を前記測定サーバに送信する測定部、を備え、前記無線端末の前記測定部は、前記無線端末に対して前記操作者が行った入力操作に応じて、前記測定サーバに処理の開始の要求を表す情報を送信し、前記測定サーバの前記測定部及び前記子機制御部は、前記無線端末から送信された前記情報に応じて動作する測定システムである。
【０００８】
本発明の一態様は、上記の測定システムであって、前記測定サーバの前記測定部及び前記子機制御部は、前記測定サーバに対して前記操作者が行った入力操作に応じて動作する。
【０００９】
本発明の一態様は、上記の測定システムであって、前記無線端末の前記測定部は、前記測定サーバにおいて実行されるべきコマンドに対して前記コマンドの実行を指示するためのヘッダが付加されることによって生成される制御フレームを送信することによって、前記測定サーバに対して前記処理の開始の要求を表す情報を送信する。
本発明の一態様は、上記の測定システムであって、前記測定サーバは、前記無線端末から受信される情報であって前記無線端末において実行された前記通信環境の測定に係る情報と、前記測定部によって実行された処理に係る情報と、を表示する表示部をさらに備える。
本発明の一態様は、上記の測定システムであって、前記子機制御部は、前記通信環境を表す指標を取得する制御信号に前記無線端末を制御するための信号を付加して前記無線端末に送信する。
本発明の一態様は、上記の測定システムであって、前記無線端末の前記測定部は、前記通信環境を表す指標を取得する制御信号に前記測定サーバを制御するための信号を付加して前記測定サーバに送信する。
本発明の一態様は、上記の測定システムであって、前記子機制御部は、前記無線端末において実行されるべきコマンドに対して前記コマンドの実行を指示するためのヘッダが付加されることによって生成される制御フレームを送信することによって、前記無線端末に対して前記通信環境の測定に係る処理の実行を指示する、通信環境の測定に係る処理を表す指標を取得する制御フレームに子機制御のためのコマンドを書き込んだヘッダを追加し無線端末に送信する。
【００１０】
本発明の一態様は、通信環境の測定対象となるアクセスポイントを介して通信可能に接続される測定サーバ及び無線端末を含む測定システムの前記測定サーバであって、操作者の操作に応じて、前記通信環境の測定に係る処理を実行する測定部と、前記操作に応じて、前記無線端末に対して前記通信環境の測定に係る処理の実行を指示する子機制御部と、を備え、前記無線端末は、前記無線端末に対して前記操作者が行った入力操作に応じて、処理の開始の要求を表す情報を送信し、前記測定部及び前記子機制御部は、前記無線端末から送信された前記情報に応じて動作する測定サーバである。
【００１１】
本発明の一態様は、通信環境の測定対象となるアクセスポイントを介して通信可能に接続される測定サーバ及び無線端末を含む測定システムの無線端末であって、操作者の操作に応じて、前記通信環境の測定に係る処理を実行する測定部と、前記操作に応じて、前記無線端末に対して前記通信環境の測定に係る処理の実行を指示する子機制御部と、を備える前記測定サーバによる指示に応じて、前記通信環境の測定に係る処理を実行し、実行された前記通信環境の測定に係る情報を前記測定サーバに送信する測定部、を備え、前記測定部は、前記無線端末に対して前記操作者が行った入力操作に応じて、前記測定サーバに処理の開始の要求を表す情報を送信し、前記測定サーバは、前記無線端末から送信された前記情報に応じて動作する無線端末である。
【００１２】
本発明の一態様は、通信環境の測定対象となるアクセスポイントを介して通信可能に接続される測定サーバ及び無線端末を含む測定システムの前記測定サーバとしてコンピュータを機能させるコンピュータプログラムであって、操作者の操作に応じて、前記通信環境の測定に係る処理を実行する測定部と、前記操作に応じて、前記無線端末に対して前記通信環境の測定に係る処理の実行を指示する子機制御部と、を備え、前記無線端末は、前記無線端末に対して前記操作者が行った入力操作に応じて、処理の開始の要求を表す情報を送信し、前記測定部及び前記子機制御部は、前記無線端末から送信された前記情報に応じて動作する測定サーバとして前記コンピュータを機能させるコンピュータプログラムである。
【００１３】
本発明の一態様は、通信環境の測定対象となるアクセスポイントを介して通信可能に接続される測定サーバ及び無線端末を含む測定システムの無線端末としてコンピュータを機能させるコンピュータプログラムであって、操作者の操作に応じて、前記通信環境の測定に係る処理を実行する測定部と、前記操作に応じて、前記無線端末に対して前記通信環境の測定に係る処理の実行を指示する子機制御部と、を備える前記測定サーバによる指示に応じて、前記通信環境の測定に係る処理を実行し、実行された前記通信環境の測定に係る情報を前記測定サーバに送信する測定部、を備え、前記測定部は、前記無線端末に対して前記操作者が行った入力操作に応じて、前記測定サーバに処理の開始の要求を表す情報を送信し、前記測定サーバは、前記無線端末から送信された前記情報に応じて動作する無線端末としてコンピュータを機能させるコンピュータプログラムである。
【発明の効果】
【００１４】
本発明により、無線アクセスポイントの通信環境を測定するための労力を低減することが可能となる。
【図面の簡単な説明】
【００１５】
【図１】測定システム１の構成を示すシステム構成図である。
【図２】測定サーバ２０の機能構成を表す概略ブロック図である。
【図３】無線端末３０の機能構成を表す概略ブロック図である。
【図４】測定サーバ２０の表示部２２に表示される測定画面の具体例を示す図である。
【図５】測定システム１における接続処理の例を示すシーケンスチャートである。
【図６】測定システム１における上り方向の測定処理の例を示すシーケンスチャートである。
【図７】測定システム１における下り方向の測定処理の例を示すシーケンスチャートである。
【図８】測定システム１における上り方向の設定がなされている場合の接続維持処理の例を示すシーケンスチャートである。
【図９】測定システム１における下り方向の設定がなされている場合の接続維持処理の例を示すシーケンスチャートである。
【図１０】測定システム１における受信強度測定処理の例を示すシーケンスチャートである。
【図１１】測定システム１の構成を示すシステム構成図である。
【図１２】無線端末３０の表示部３２に表示される測定画面の具体例を示す図である。
【図１３】測定システム１における上り方向の設定がなされている場合の遠隔測定処理の例を示すシーケンスチャートである。
【図１４】測定システム１における下り方向の設定がなされている場合の遠隔測定処理の例を示すシーケンスチャートである。
【発明を実施するための形態】
【００１６】
図１は、測定システム１の構成を示すシステム構成図である。測定システム１は、アクセスポイント１０、測定サーバ２０及び無線端末３０を備える。アクセスポイント１０は、測定サーバ２０及び無線端末３０と通信する。アクセスポイント１０は、測定サーバ２０との間では有線通信によって通信する。アクセスポイント１０は、無線端末３０との間では無線通信によって通信する。測定サーバ２０は、無線端末３０から送信されたデータをアクセスポイント１０を介して受信することによって、アクセスポイント１０と無線端末３０との間の通信環境を表す指標を取得する。通信環境を表す指標を取得する事によって、通信環境の測定が行われる。以下、測定システム１の詳細について説明する。
【００１７】
アクセスポイント１０は、無線通信装置との間で無線通信を行う。アクセスポイント１０は、無線通信装置と他の通信装置（有線通信装置又は無線通信装置）との間で通信を中継する。アクセスポイント１０は、例えば無線ＬＡＮ（Local Area Network）の基地局であってもよいし、移動通信システム（例えば３Ｇシステム）の基地局であってもよいし、他の中継装置であってもよい。測定システム１において、アクセスポイント１０の無線通信の通信環境が測定の対象である。
【００１８】
測定サーバ２０は、アクセスポイント１０と有線通信経路で接続される情報処理装置である。測定サーバ２０は、操作者４０によって操作される。測定サーバ２０は、アクセスポイント１０を介して無線端末３０と通信することによって、アクセスポイント１０の通信環境の指標を取得する。
【００１９】
なお、アクセスポイント１０と測定サーバ２０との間の通信路は、有線通信に限られず、無線通信によって構成されてもよい。ただし、アクセスポイント１０と無線端末３０との間の通信環境の指標をより精度良く取得するためには、アクセスポイント１０と測定サーバ２０との間の通信経路は安定かつ高速な通信経路であることが望ましい。
【００２０】
図２は、測定サーバ２０の機能構成を表す概略ブロック図である。測定サーバ２０は、バスで接続されたＣＰＵ（Central Processing Unit）やメモリや補助記憶装置などを備える。測定サーバ２０は、測定プログラムを実行することによって、通信部２１、表示部２２、入力部２３、設定情報記憶部２４及び制御部２５を備える装置として機能する。なお、測定サーバ２０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。測定プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。測定プログラムは、電気通信回線を介して送信されてもよい。
【００２１】
通信部２１は、ネットワークインタフェースである。通信部２１は、有線ＬＡＮやＵＳＢ（Universal Serial Bus）等の通信ケーブルを介して他の装置と通信する。本実施形態では、通信部２１は、通信ケーブルを介してアクセスポイント１０と接続される。なお、通信部２１とアクセスポイント１０との間に他の中継装置が配置されてもよい。
【００２２】
表示部２２は、ＣＲＴ（Cathode Ray Tube）ディスプレイ、液晶ディスプレイ、有機ＥＬ（Electro Luminescence）ディスプレイ等の画像表示装置である。表示部２２は、画像表示装置を測定サーバ２０に接続するためのインタフェースであっても良い。この場合、表示部２２は、画像表示装置に表示される映像の信号を生成し、自身に接続されている画像表示装置に信号を出力する。
【００２３】
入力部２３は、キーボード、ポインティングデバイス（マウス、タブレット等）、ボタン、タッチパネル等の既存の入力装置を用いて構成される。入力部２３は、操作者４０の指示を測定サーバ２０に入力する際に操作者４０によって操作される。入力部２３は、入力装置を測定サーバ２０に接続するためのインタフェースであっても良い。この場合、入力部２３は、入力装置において操作者４０の入力に応じ生成された入力信号を測定サーバ２０に入力する。
【００２４】
設定情報記憶部２４は、磁気ハードディスク装置や半導体記憶装置などの記憶装置を用いて構成される。設定情報記憶部２４は、測定サーバ２０がアクセスポイント１０の通信環境を測定するに際して必要となる情報（以下、「設定情報」という。）を記憶する。設定情報は、例えば自装置（測定サーバ２０）のＩＰアドレス、無線端末３０のＩＰアドレス、トラフィックの方向を示す情報を含む。
【００２５】
制御部２５は、ＣＰＵが測定プログラムを実行することによって、測定部２５１及び子機制御部２５２として機能する。
【００２６】
測定部２５１は、無線端末３０から送信されて通信部２１によって受信されるデータ（測定用データ）に基づいて、通信環境の指標を取得する。例えば、測定部２５１は、受信された測定用データのトラフィック総量、スループット（Ｍｂｉｔ／ｓｅｃ）等の値を取得する。測定サーバ２０とアクセスポイント１０との間の通信環境が、アクセスポイント１０と無線端末３０との間の通信環境よりも充分に高速である場合、取得される指標は、アクセスポイント１０と無線端末３０との間の通信環境を示す指標として捉えることができる。
【００２７】
子機制御部２５２は、測定部２５１が通信環境の測定を行うに際して、無線端末３０との間で必要となる処理を行う。子機制御部２５２は、例えば無線端末３０に対し制御信号を送信する。無線端末３０は、子機制御部２５２によって送信される制御信号に基づいて動作する。
【００２８】
無線端末３０は、アクセスポイント１０と無線通信経路で接続される情報処理装置である。無線端末３０は、アクセスポイント１０を介して測定サーバ２０と通信する。例えば、無線端末３０は、測定サーバ２０から送信される制御信号に応じて、所定のデータを測定サーバ２０に送信する。
【００２９】
図３は、無線端末３０の機能構成を表す概略ブロック図である。無線端末３０は、バスで接続されたＣＰＵやメモリや補助記憶装置などを備える。無線端末３０は、測定プログラムを実行することによって、通信部３１、表示部３２、入力部３３、設定情報記憶部３４及び制御部３５を備える装置として機能する。なお、無線端末３０の各機能の全て又は一部は、ＡＳＩＣやＰＬＤやＦＰＧＡ等のハードウェアを用いて実現されてもよい。測定プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。測定プログラムは、電気通信回線を介して送信されてもよい。
【００３０】
通信部３１は、ネットワークインタフェースである。通信部３１は、電波を送信及び受信することによって他の装置と無線通信する。本実施形態では、通信部３１は、無線通信経路によってアクセスポイント１０と接続される。なお、通信部３１とアクセスポイント１０との間に他の無線中継装置が配置されてもよい。
【００３１】
表示部３２は、ＣＲＴディスプレイ、液晶ディスプレイ、有機ＥＬディスプレイ等の画像表示装置である。表示部３２は、画像表示装置を無線端末３０に接続するためのインタフェースであっても良い。この場合、表示部３２は、画像表示装置に表示される映像の信号を生成し、自身に接続されている無線端末３０に信号を出力する。
【００３２】
入力部３３は、キーボード、ポインティングデバイス、ボタン、タッチパネル等の既存の入力装置を用いて構成される。入力部３３は、操作者４０の指示を無線端末３０に入力する際に操作者４０によって操作される。入力部３３は、入力装置を無線端末３０に接続するためのインタフェースであっても良い。この場合、入力部３３は、入力装置において操作者４０の入力に応じ生成された入力信号を無線端末３０に入力する。
【００３３】
制御部３５は、ＣＰＵがプログラムを実行することによって、測定部３５１として機能する。
測定部３５１は、測定サーバ２０から送信されて通信部３１によって受信された制御信号に応じて、通信環境の指標を取得するために必要となる処理を行う。例えば、測定部３５１は、所定のデータ（測定用データ）を、アクセスポイント１０を介して測定サーバ２０に送信する。
【００３４】
図４は、測定サーバ２０の表示部２２に表示される測定画面の具体例を示す図である。測定画面には、親機画面表示部２２０、子機画面表示部２２１、実行ボタン２２２、停止ボタン２２３、下りチェックボックス２２４及び上りチェックボックス２２５が表示される。
【００３５】
親機画面表示部２２０には、親機（測定サーバ２０）の測定部２５１によって取得された情報が表示される。親機画面表示部２２０には、例えば一般的な測定ツール（例えばｉｐｅｒｆ）を用いて通信環境の測定を行った際に親機の画面に表示される画面が表示される。
【００３６】
子機画面表示部２２１には、子機（無線端末３０）の測定部３５１によって取得された情報が表示される。子機画面表示部２２１には、例えば一般的な測定ツール（例えばｉｐｅｒｆ）を用いて通信環境の測定を行った際に子機の画面に表示される画面が表示される。
【００３７】
実行ボタン２２２は、測定開始指示を測定サーバ２０に対して指示する際に押下されるボタンである。操作者４０は、測定を開始する際に、入力部２３を操作することによって実行ボタン２２２を押下する。実行ボタン２２２が押下されると、測定部２５１が通信環境の測定を開始する。
【００３８】
停止ボタン２２３は、測定停止指示を測定サーバ２０に対して指示する際に押下されるボタンである。操作者４０は、測定を停止する際に、入力部２３を操作することによって停止ボタン２２３を押下する。停止ボタン２２３が押下されると、測定部２５１が通信環境の測定を停止する。
【００３９】
下りチェックボックス２２４は、測定の対象となる無線通信の方向を下り方向に設定する際に押下されるボタンである。操作者４０は、測定の対象となる無線通信の方向を下り方向に設定する際に、入力部２３を操作することによって下りチェックボックス２２４を押下する。下りチェックボックス２２４が押下されると、子機制御部２５２は、測定の対象となる無線通信の方向を下り方向に設定する。測定の対象となる無線通信の方向は、測定サーバ２０と無線端末３０との間の送受信の関係を示す。測定サーバ２０によって送信された測定用データが無線端末３０によって受信されることによって測定が行われる場合、下り方向の通信環境の指標が取得される。測定の対象となる無線通信の方向が下り方向に設定されている場合、下りチェックボックス２２４は、選択されていることを示す表示態様で表示される。
【００４０】
上りチェックボックス２２５は、測定の対象となる無線通信の方向を上り方向に設定する際に押下されるボタンである。操作者４０は、測定の対象となる無線通信の方向を上り方向に設定する際に、入力部２３を操作することによって上りチェックボックス２２５を押下する。上りチェックボックス２２５が押下されると、子機制御部２５２は、測定の対象となる無線通信の方向を上り方向に設定する。測定の対象となる無線通信の方向は、測定サーバ２０と無線端末３０との間の送受信の関係を示す。無線端末３０によって送信された測定用データが測定サーバ２０によって受信されることによって測定が行われる場合、上り方向の通信環境の指標が取得される。測定の対象となる無線通信の方向が上り方向に設定されている場合、上りチェックボックス２２５は、選択されていることを示す表示態様で表示される。
【００４１】
操作者４０は、下りチェックボックス２２４及び上りチェックボックス２２５の表示態様を参照することによって、どちらの方向の通信環境の指標が取得されるのか判断することができる。
【００４２】
以下、測定システム１の処理の流れについて、複数のシーケンスチャートを用いて説明する。以下の説明では、測定システム１がｉｐｅｒｆを用いて実装されていることを前提として説明する。ただし、測定システム１の実装に用いられる測定ツールはｉｐｅｒｆである必要は無く、既存の他の測定ツールであってもよいし、独自に作成された測定ツールであってもよい。
【００４３】
図５は、測定システム１における接続処理の例を示すシーケンスチャートである。まず、測定サーバ２０及び無線端末３０が起動される（ステップＳ００１及びＳ００２）。具体的には、測定サーバ２０及び無線端末３０において、測定プログラムが起動される。このとき、両方の装置を操作者４０が操作してもよい。次に、測定サーバ２０の子機制御部２５２は、予め設定情報記憶部２４に登録されている無線端末３０のＩＰアドレス宛に、接続要求を送信する（ステップＳ００３）。無線端末３０の測定部３５１は、自装置宛の接続要求を受信すると、接続要求の送信元である測定サーバ２０に対して接続応答を送信する（ステップＳ００４）。このような処理によって、測定サーバ２０と無線端末３０との間の通信路が接続される。
【００４４】
その後、なんらかの事象による影響を受けて測定サーバ２０と無線端末３０との間の通信路が切断した場合（ステップＳ００５）、測定サーバ２０の子機制御部２５２は、後述する接続維持処理によって切断を検知する。この場合、測定サーバ２０の子機制御部２５２は、予め設定情報記憶部２４に登録されている無線端末３０のＩＰアドレス宛に、接続要求を送信する（ステップＳ００６）。無線端末３０の測定部３５１は、自装置宛の接続要求を受信すると、接続要求の送信元である測定サーバ２０に対して接続応答を送信する（ステップＳ００７）。このような処理によって、操作者４０の操作を必要とすることなく、測定サーバ２０と無線端末３０との間の通信路が再び接続される。
【００４５】
図６は、測定システム１における上り方向の測定処理の例を示すシーケンスチャートである。図６に示される処理は、既に図５に示される接続処理によって通信路が接続されていることが前提となっている。
【００４６】
まず、操作者４０が測定サーバ２０の入力部２３を操作することによって、上り方向の測定処理を実行するための設定を行う。例えば、操作者４０は、上りチェックボックス２２５が選択された状態となるように、上りチェックボックス２２５を押下する。上りチェックボックス２２５が選択された状態で測定開始指示が入力されると、測定システム１は上り方向の測定処理を開始する。
【００４７】
操作者４０は、測定サーバ２０の入力部２３を操作することによって、測定開始指示を測定サーバ２０に入力する。この入力は、例えば操作者４０が入力部２３を操作して実行ボタン２２２を押下することによって行われる。測定サーバ２０の測定部２５１は、測定開始指示の入力を受け付けると（ステップＳ１０１）、受付開始コマンドを実行する（ステップＳ１０２）。受付開始コマンドは、例えば“ｉｐｅｒｆ  −ｓ”という文字列によって表されるコマンドである。受付開始コマンドの実行により、測定部２５１は受付状態に遷移する。
【００４８】
また、測定開始指示の入力の受け付けに応じて、子機制御部２５２は、通信路が接続されている子機（無線端末３０）に対し、通信開始指示を送信する（ステップＳ１０３）。通信開始指示は、通信路が接続されている一方の機器（図６では測定サーバ２０）から他方の機器（図６では無線端末３０）に対して通信開始コマンドを実行することを指示するための情報である。通信開始指示は、例えば“ＩＡＣ  ＣＭＤ  （通信開始コマンド）  ＣＡＩ”という文字列によって表される。上記指示の（通信開始コマンド）の部分には、無線端末３０において実行されるべき通信開始コマンドを示す文字列が入る。なお、上述した“ＩＡＣ  ＣＭＤ”は、Iperfの制御フレームのヘッダとして追加したコマンドの略称である。測定サーバ２０は、“ＩＡＣ  ＣＭＤ”という文字列を含むコマンドを送信すると、無線端末３０との間で互いにトラフィックを送受信できる状態に遷移する。無線端末３０は、“ＩＡＣ  ＣＭＤ”という文字列を含むコマンドを受信すると、測定サーバ２０との間で互いにトラフィックを送受信できる状態に遷移する。測定システム１は、“ＩＡＣ  ＣＭＤ”というコマンドを用いて上述した状態の遷移を行うことによって、測定処理を実現している。
【００４９】
無線端末３０の測定部３５１は、通信開始指示を受信すると、受信された通信開始指示に応じて通信開始コマンドを実行する。通信開始コマンドは、通信路が接続されている他方の機器に対する測定用データの送信を開始するためのコマンドである。通信開始コマンドは、例えば“ｉｐｅｒｆ  −ｃ  （測定サーバ２０のＩＰアドレス）”という文字列によって表されるコマンドである。上記コマンドの（測定サーバ２０のＩＰアドレス）の部分には、通信路が接続されている他方の機器（図６の場合、測定サーバ２０）のＩＰアドレスを示す文字列が入る。測定部３５１は、通信開始コマンドの実行に応じて、測定用データを測定サーバ２０に送信する（ステップＳ１０５）。測定部３５１は、測定用データの送信に応じて、表示部３２に表示される内容を更新する（ステップＳ１０６）。例えば、測定部３５１は、送信された測定用データのトラフィック量（以下、「送信トラフィック量」という。）の表示を最新の情報に更新する。
【００５０】
測定サーバ２０の測定部２５１は、測定用データを受信すると、測定用データの受信に応じて、表示部２２の親機画面表示部２２０に表示される内容を更新する（ステップＳ１０７）。例えば、測定部２５１は、受信された測定用データのトラフィック量（以下、「受信トラフィック量」という。）の表示を最新の情報に更新する。
【００５１】
無線端末３０の測定部３５１は、ステップＳ１０６において更新された後の画面に関する情報（以下、「表示データ」という。）を、測定サーバ２０に送信する（ステップＳ１０８）。表示データは、例えば画面の更新によって新たに表示されることになった文字列を表すデータであってもよい。表示データは、例えば更新された後の画面に表示されている全ての文字列を表すデータであってもよい。
【００５２】
測定サーバ２０の測定部２５１は、表示データを受信すると、表示データの内容に応じて表示部２２の子機画面表示部２２１に表示される内容を更新する（ステップＳ１０９）。例えば、測定部２５１は、受信された表示データに含まれる送信トラフィック量の表示を最新の情報に更新する。
【００５３】
その後、所定のタイミングまでステップＳ１０５〜ステップＳ１０９の処理が繰り返し実行される。所定のタイミングとは、通信開始コマンドにおいて指定されたタイミングであってもよいし、測定停止指示が操作者４０によって入力されるタイミングであってもよいし、他のタイミングであってもよい。例えば、通信開始コマンドにおいて測定用データの送信の時間（例えば１０秒間）が指定された場合、指定された時間が経過するまでステップＳ１０５〜ステップＳ１０９の処理が繰り返し実行される。また、通信開始コマンドにおいて測定用データの送信の時間が指定されていない場合、予め設定されているデフォルトの時間（例えば１０秒間）が経過するまでステップＳ１０５〜ステップＳ１０９の処理が繰り返し実行されてもよい。
【００５４】
操作者４０は、測定サーバ２０の待ち受け状態を停止させる際に、測定サーバ２０の入力部２３を操作することによって、測定停止指示を測定サーバ２０に入力する。この入力は、例えば操作者４０が入力部２３を操作して停止ボタン２２３を押下することによって行われる。測定サーバ２０の測定部２５１は、測定停止指示の入力を受け付けると（ステップＳ１１０）、受付停止コマンドを実行する（ステップＳ１１１）。受付停止コマンドは、例えばコントロールボタン（ＣＴＲＬ）及びＣボタン（Ｃ）の二つのボタンが同時に押下されることによって入力されるコマンドである。受付停止コマンドの実行により、測定部２５１は受付状態から待機状態に遷移する。
【００５５】
また、測定停止指示の入力の受け付けに応じて、子機制御部２５２は、通信路が接続されている子機（無線端末３０）に対し、通信停止指示を送信する（ステップＳ１１２）。通信停止指示は、通信路が接続されている一方の機器（図６では測定サーバ２０）から他方の機器（図６では無線端末３０）に対して通信停止コマンドを実行することを指示するための情報である。通信停止指示は、例えば“ＩＡＣ  ＳＩＧ  ＣＡＩ”という文字列によって表される。ＳＩＧは、測定プログラム（例えばｉｐｅｒｆ）の停止を指示するための文字列である。
【００５６】
無線端末３０の測定部３５１は、通信停止指示を受信すると、受信された通信停止指示に応じて通信停止コマンドを実行する。通信停止コマンドは、測定プログラムの動作を停止するためのコマンドである。
【００５７】
図７は、測定システム１における下り方向の測定処理の例を示すシーケンスチャートである。図７に示される処理は、既に図５に示される接続処理によって通信路が接続されていることが前提となっている。
【００５８】
まず、操作者４０が測定サーバ２０の入力部２３を操作することによって、下り方向の測定処理を実行するための設定を行う。例えば、操作者４０は、下りチェックボックス２２４が選択された状態となるように、下りチェックボックス２２４を押下する。下りチェックボックス２２４が選択された状態で測定開始指示が入力されると、測定システム１は下り方向の測定処理を開始する。
【００５９】
操作者４０は、測定サーバ２０の入力部２３を操作することによって、測定開始指示を測定サーバ２０に入力する。この入力は、例えば操作者４０が入力部２３を操作して実行ボタン２２２を押下することによって行われる。測定サーバ２０の子機制御部２５２は、測定開始指示の入力を受け付けると（ステップＳ２０１）、通信路が接続されている子機（無線端末３０）に対し、受付開始指示を送信する（ステップＳ２０２）。受付開始指示は、通信路が接続されている一方の機器（図７では測定サーバ２０）から他方の機器（図７では無線端末３０）に対して受付開始コマンドを実行することを指示するための情報である。受付開始指示は、例えば“ＩＡＣ  ＣＭＤ  （受付開始コマンド）  ＣＡＩ”という文字列によって表される。上記指示の（受付開始コマンド）の部分には、無線端末３０において実行されるべき受付開始コマンドを示す文字列が入る。
【００６０】
無線端末３０の測定部３５１は、受付開始指示を受信すると、受信された受付開始指示に応じて受付開始コマンドを実行する（ステップＳ２０３）。受付開始コマンドは、通信路が接続されている他方の機器からの測定用データの受信を開始するためのコマンドである。受付開始コマンドは、例えば“ｉｐｅｒｆ  −ｓ”という文字列によって表されるコマンドである。
【００６１】
測定サーバ２０の測定部２５１は、ステップＳ２０１における測定開始指示の入力の受け付けに応じて、通信開始コマンドを実行する（ステップＳ２０４）。通信開始コマンドは、例えば“ｉｐｅｒｆ  −ｃ  （無線端末３０のＩＰアドレス）”という文字列によって表されるコマンドである。なお、通信開始コマンドは、受付開始指示が送信されてから所定の時間が経過した後に実行されることが望ましい。このように構成されることによって、無線端末３０において受付状態への遷移が完了する前に測定用データが送信されてしまうことを防止することが可能となる。
【００６２】
測定部２５１は、通信開始コマンドの実行に応じて、測定用データを無線端末３０に送信する（ステップＳ２０５）。測定部２５１は、測定用データの送信に応じて、表示部２２の親機画面表示部２２０に表示される内容を更新する（ステップＳ２０６）。例えば、測定部２５１は、送信トラフィック量の表示を最新の情報に更新する。
【００６３】
無線端末３０の測定部３５１は、測定用データを受信すると、測定用データの受信に応じて、表示部３２に表示される内容を更新する（ステップＳ２０７）。例えば、測定部３５１は、受信トラフィック量の表示を最新の情報に更新する。
【００６４】
無線端末３０の測定部３５１は、ステップＳ２０７において更新された後の画面に関する表示データを、測定サーバ２０に送信する（ステップＳ２０８）。
【００６５】
測定サーバ２０の測定部２５１は、表示データを受信すると、表示データの内容に応じて表示部２２の子機画面表示部２２１に表示される内容を更新する（ステップＳ２０９）。例えば、測定部２５１は、受信された表示データに含まれる受信トラフィック量の表示を最新の情報に更新する。
【００６６】
その後、所定のタイミングまでステップＳ２０５〜ステップＳ２０９の処理が繰り返し実行される。所定のタイミングとは、通信開始コマンドにおいて指定されたタイミングであってもよいし、測定停止指示が操作者４０によって入力されるタイミングであってもよいし、他のタイミングであってもよい。例えば、通信開始コマンドにおいて測定用データの送信の時間（例えば１０秒間）が指定された場合、指定された時間が経過するまでステップＳ２０５〜ステップＳ２０９の処理が繰り返し実行される。また、通信開始コマンドにおいて測定用データの送信の時間が指定されていない場合、予め設定されているデフォルトの時間（例えば１０秒間）が経過するまでステップＳ２０５〜ステップＳ２０９の処理が繰り返し実行されてもよい。
【００６７】
操作者４０は、測定サーバ２０の測定プログラムを停止させる際に、測定サーバ２０の入力部２３を操作することによって、測定停止指示を測定サーバ２０に入力する。この入力は、例えば操作者４０が入力部２３を操作して停止ボタン２２３を押下することによって行われる。測定サーバ２０の測定部２５１は、測定停止指示の入力を受け付けると（ステップＳ２１０）、通信停止コマンドを実行する（ステップＳ２１１）。通信停止コマンドは、例えばコントロールボタン（ＣＴＲＬ）及びＣボタン（Ｃ）の二つのボタンが同時に押下されることによって入力されるコマンドである。通信停止コマンドの実行により、制御部２５によって実行されていた測定プログラムが停止する。
【００６８】
また、測定停止指示の入力の受け付けに応じて、子機制御部２５２は、通信路が接続されている子機（無線端末３０）に対し、受付停止指示を送信する（ステップＳ２１２）。受付停止指示は、通信路が接続されている一方の機器（図７では測定サーバ２０）から他方の機器（図７では無線端末３０）に対して受付停止コマンドを実行することを指示するための情報である。受付停止指示は、例えば“ＩＡＣ  ＳＩＧ  ＣＡＩ”という文字列によって表される。ＳＩＧは、測定プログラム（例えばｉｐｅｒｆ）の停止を指示するための文字列である。
【００６９】
無線端末３０の測定部３５１は、受付停止指示を受信すると、受信された受付停止指示に応じて受付停止コマンドを実行する。受付停止コマンドは、測定プログラムの動作を停止するためのコマンドである。
【００７０】
図８は、測定システム１における上り方向の設定がなされている場合の接続維持処理の例を示すシーケンスチャートである。図８に示される処理は、既に図５に示される接続処理によって通信路が接続されていること前提となっている。
【００７１】
まず、測定サーバ２０の測定部２５１は、通信路が接続されている子機（無線端末３０）に対し、接続維持要求を送信する（ステップＳ３０１）。子機（無線端末３０）は、接続維持要求を受信すると、接続維持要求の送信元である親機（測定サーバ２０）に対し、接続維持応答を送信する（ステップＳ３０２）。子機制御部２５２は、接続維持要求の送信を所定のタイミングで繰り返し実行する。例えば、所定の周期が到来する度に、子機制御部２５２は繰り返し接続維持要求を送信してもよい。
【００７２】
もし、接続維持要求の送信から所定の時間が経過しても接続維持応答が受信されない場合は、子機制御部２５２は、子機（無線端末３０）との間の通信経路が切断されたと判定する。この場合、子機制御部２５２は、図５に示される接続要求を送信することによって、子機との間の通信経路を再接続する。
【００７３】
測定サーバ２０の子機制御部２５２は、測定開始指示の入力が受け付けられると（ステップＳ１０１）、接続維持要求の送信を停止する。子機制御部２５２は、測定開始指示の入力が受け付けられると、受付停止コマンドが実行されるまで、接続維持要求を送信しない。受付停止コマンドが実行されると（ステップＳ１１１）、子機制御部２５２は、接続維持要求の送信を再開する。この後、子機制御部２５２は、所定のタイミングで接続維持要求を繰り返し送信する。このように構成されることにより、通信環境の測定が行われている最中に、接続維持要求及び接続維持応答の送受信が通信環境に影響を与えてしまうことを防止できる。そのため、より精度良く通信環境の測定を行うことが可能となる。
【００７４】
図９は、測定システム１における下り方向の設定がなされている場合の接続維持処理の例を示すシーケンスチャートである。下り方向の設定がなされている場合も、上り方向の設定がなされている場合と同様に、測定開始指示の入力が受け付けられてから（ステップＳ２０１）、通信停止コマンドが実行されるまで（ステップＳ２１１）、子機制御部２５２は接続維持要求の送信を停止する。一方、測定開始指示の入力が受け付けられるまでの間は、子機制御部２５２は、繰り返し接続維持要求を送信する（ステップＳ３０１）。
【００７５】
図１０は、測定システム１における受信強度測定処理の例を示すシーケンスチャートである。図１０に示される処理は、既に図５に示される接続処理によって通信路が接続されていることが前提となっている。
【００７６】
まず、操作者４０は、測定サーバ２０の入力部２３を操作することによって、受信強度測定開始指示を測定サーバ２０に入力する。この入力は、例えば操作者４０が入力部２３を操作して受信強度測定開始ボタン（不図示）を押下することによって行われる。測定サーバ２０の子機制御部２５２は、受信強度測定開始指示の入力を受け付けると（ステップＳ４０１）、通信路が接続されている子機（無線端末３０）に対し、受信強度測定開始通知を送信する（ステップＳ４０２）。受信強度測定開始通知は、通信路が接続されている一方の機器（図１０では測定サーバ２０）から他方の機器（図１０では無線端末３０）に対して、受信強度測定を開始することを通知するための情報である。受信強度測定開始通知は、例えば“ＩＡＣ  ＲＤＤＩ  ＳＴＡ  ＣＡＩ”という文字列によって表される。
【００７７】
また、受信強度測定開始指示の入力の受け付けに応じて、子機制御部２５２は、通信路が接続されている子機（無線端末３０）に対し、受信強度測定要求を送信する（ステップＳ４０３）。受信強度測定要求は、通信路が接続されている一方の機器（図１０では測定サーバ２０）から他方の機器（図１０では無線端末３０）に対して受信強度の測定及び通知を実行することを指示するための情報である。受信強度測定要求は、例えば“ＩＡＣ  ＲＳＳＩ  ＲＥＱ  ＣＡＩ”という文字列によって表される。
【００７８】
無線端末３０の測定部３５１は、受信強度測定要求を受信すると、受信された受信強度測定要求に応じて、その時点における自装置（無線端末３０）の受信強度を取得する。この受信強度は、無線端末３０がアクセスポイント１０から受信している無線信号の受信強度を表す。測定部３５１は、取得された受信強度の値を表す情報（受信強度測定応答）を測定サーバ２０に送信する（ステップＳ４０５）。測定部３５１は、受信強度測定応答の送信に応じて、表示部３２に表示される内容を更新する（ステップＳ４０６）。例えば、測定部３５１は、受信強度を表す値の表示を最新の値に更新する。
【００７９】
測定サーバ２０の子機制御部２５２は、受信強度測定応答を受信すると、受信強度測定応答の受信に応じて、表示部２２の子機画面表示部２２１に表示される内容を更新する（ステップＳ４０７）。例えば、子機制御部２５２は、受信された受信強度の値の表示を最新の値に更新する。
【００８０】
その後、所定のタイミングまでステップＳ４０３〜ステップＳ４０７の処理が繰り返し実行される。所定のタイミングとは、受信強度測定開始指示において指定されたタイミングであってもよいし、受信強度測定停止指示が操作者４０によって入力されるタイミングであってもよいし、他のタイミングであってもよい。例えば、受信強度測定開始指示において受信強度測定の時間（例えば１０秒間）が指定された場合、指定された時間が経過するまでステップＳ４０３〜ステップＳ４０７の処理が繰り返し実行される。また、受信強度測定開始指示において受信強度測定の時間が指定されていない場合、予め設定されているデフォルトの時間（例えば１０秒間）が経過するまでステップＳ４０３〜ステップＳ４０７の処理が繰り返し実行されてもよい。
【００８１】
ステップＳ４０３〜ステップＳ４０７に示される処理は、一般的に受信強度の測定が行われる際の周期よりも短い周期で繰り返し実行されてもよい。たとえば、一般的に受信強度の測定が行われる際の周期が１０秒間である場合、本実施形態におけるステップＳ４０３〜ステップＳ４０７の処理は３秒間の周期で繰り返し実行されてもよい。このように構成されることによって、所定回数（例えば６０回）の測定値の統計値（例えば平均値）を測定結果として取得する場合に、より短い時間で測定結果を取得することが可能となる。そのため、短時間での受信強度の変化を精度良く測定することが可能となる。
【００８２】
操作者４０が、測定サーバ２０の入力部２３を操作することによって受信強度測定停止指示を測定サーバ２０に入力すると、測定サーバ２０の子機制御部２５２は入力を受け付ける（ステップＳ４０８）。測定サーバ２０の子機制御部２５２は、測定停止指示の入力を受け付けると、受信強度測定停止通知を無線端末３０に送信する。受信強度測定停止通知には、測定値の統計値（測定結果）が含まれる。無線端末３０は、受信強度測定停止通知を受信すると、測定結果を表示部３２に表示する。
【００８３】
図１１は、無線端末３０が操作される場合の測定システム１の構成を示すシステム構成図である。図１１では、図１と異なり、測定サーバ２０ではなく無線端末３０が操作者４０によって操作される。この場合、測定サーバ２０は操作者によって操作される必要が無い。以下に示す図１２及び図１３のシーケンスチャートは、図１１に示されるように無線端末３０が操作者４０によって操作されることが前提となっている。
【００８４】
図１２は、無線端末３０の表示部３２に表示される測定画面の具体例を示す図である。測定画面には、結果表示部３２１、ＤＯＷＮボタン３２２、ＵＰボタン３２３、ＳＴＯＰボタン３２４、ＲＳＳＩボタン３２５、ＣＬＥＡＲボタン３２６及びＳＡＶＥボタン３２７が表示される。
【００８５】
結果表示部３２１には、無線端末３０の測定部３５１によって取得された情報が表示される。結果表示部３２１には、例えば一般的な測定ツール（例えばｉｐｅｒｆ）を用いて通信環境の測定を行った際に得られる測定結果を示す情報が表示される。結果表示部３２１に表示される情報が、上述した子機画面表示部２２１に表示されてもよい。
【００８６】
ＤＯＷＮボタン３２２は、下り方向の測定処理の開始指示を無線端末３０に対して指示する際に押下されるボタンである。操作者４０は、下り方向の測定処理を開始する際に、入力部３３を操作することによってＤＯＷＮボタン３２２を押下する。ＤＯＷＮボタン３２２が押下されると、測定部３５１が下り方向の通信環境の測定を開始する。
【００８７】
ＵＰボタン３２３は、上り方向の測定処理の開始指示を無線端末３０に対して指示する際に押下されるボタンである。操作者４０は、上り方向の測定処理を開始する際に、入力部３３を操作することによってＵＰボタン３２３を押下する。ＵＰボタン３２３が押下されると、測定部３５１が上り方向の通信環境の測定を開始する。
【００８８】
ＳＴＯＰボタン３２４は、測定停止指示を無線端末３０に対して指示する際に押下されるボタンである。操作者４０は、上り方向の測定又は下り方向の測定を停止する際に、入力部３３を操作することによってＳＴＯＰボタン３２４を押下する。ＳＴＯＰボタン３２４が押下されると、測定部３５１が通信環境の測定を停止する。
【００８９】
ＲＳＳＩボタン３２５は、受信強度測定処理の開始指示を無線端末３０に対して指示する際に押下されるボタンである。操作者４０は、受信強度の測定処理を開始する際に、入力部３３を操作することによってＲＳＳＩボタン３２５を押下する。ＲＳＳＩボタン３２５が押下されると、測定部３５１が受信強度の測定を開始する。
【００９０】
ＣＬＥＡＲボタン３２６は、結果表示部３２１の表示を初期状態に戻すことを無線端末３０に対して指示する際に押下されるボタンである。操作者４０は、結果表示部３２１に表示されている情報を画面から消したい場合に、ＣＬＥＡＲボタン３２５を押下する。ＣＬＥＡＲボタン３２５が押下されると、測定部３５１は、結果表示部３２１に表示されている情報を画面から消す。
【００９１】
ＳＡＶＥボタン３２７は、結果表示部３２１に表示された測定結果の情報を無線端末３０の記憶装置に記録することを無線端末３０に対して指示する際に押下されるボタンである。操作者４０は、結果表示部３２１に表示された測定結果の情報を記録したい場合に、ＳＡＶＥボタン３２７を押下する。ＳＡＶＥボタン３２７が押下されると、測定部３５１は、結果表示部３２１に表示された測定結果の情報を、所定の記録装置に日時等の付加情報とともに記録する。
【００９２】
図１３は、測定システム１における上り方向の設定がなされている場合の遠隔測定処理の例を示すシーケンスチャートである。図１３に示される処理は、既に図５に示される接続処理によって通信路が接続されていること前提となっている。
【００９３】
まず、操作者４０が無線端末３０の入力部３３を操作することによって、遠隔測定開始指示を無線端末３０に入力する。この入力は、例えば操作者４０が入力部３３を操作して遠隔測定実行ボタンを押下することによって行われる。無線端末３０の測定部３５１は、遠隔測定開始指示の入力を受け付けると（ステップＳ５０１）、通信路が接続されている他方の装置（図１３の場合は測定サーバ２０）に対し、遠隔測定開始要求を送信する（ステップＳ５０２）。遠隔測定開始要求は、例えば“ＩＡＣ  ＲＥＭＯＴＥ  ＵＰ  ＣＡＩ”という文字列によって表される。
【００９４】
測定サーバ２０の子機制御部２５２は、遠隔測定開始要求を受信すると、測定部２５１に対し受付開始コマンドの実行を指示する。測定部２５１は、この指示に応じて、受付開始コマンドを実行する（ステップＳ１０２）。この後、測定部２５１は、ステップＳ１０３〜ステップＳ１０９の処理を実行する。このとき、ステップＳ１０５〜ステップＳ１０９の処理は、図６に示された処理と同様に繰り返し実行される。
【００９５】
操作者４０は、測定サーバ２０の待ち受け状態を停止させる際に、無線端末３０の入力部３３を操作することによって、遠隔測定停止指示を無線端末３０に入力する。この入力は、例えば操作者４０が入力部３３を操作して遠隔測定停止ボタンを押下することによって行われる。無線端末３０の測定部３５１は、遠隔測定停止指示の入力を受け付けると（ステップＳ５０３）、通信路が接続されている他方の装置（図１３の場合は測定サーバ２０）に対し、遠隔測定停止要求を送信する（ステップＳ５０４）。遠隔測定停止要求は、例えば“ＩＡＣ  ＲＥＭＯＴＥ  ＳＴＯＰ  ＣＡＩ”という文字列によって表される。
【００９６】
測定サーバ２０の子機制御部２５２は、遠隔測定停止要求を受信すると、受付停止コマンドを実行する（ステップＳ１１１）。この後、ステップＳ１１２及びステップＳ１１３の処理が実行される。
【００９７】
図１４は、測定システム１における下り方向の設定がなされている場合の遠隔測定処理の例を示すシーケンスチャートである。図１４に示される処理は、既に図５に示される接続処理によって通信路が接続されていること前提となっている。
【００９８】
まず、操作者４０が無線端末３０の入力部３３を操作することによって、遠隔測定開始指示を無線端末３０に入力する。この入力は、例えば操作者４０が入力部３３を操作して遠隔測定実行ボタンを押下することによって行われる。無線端末３０の測定部３５１は、遠隔測定開始指示の入力を受け付けると（ステップＳ５０１）、通信路が接続されている他方の装置（図１４の場合は測定サーバ２０）に対し、遠隔測定開始要求を送信する（ステップＳ５０２）。遠隔測定開始要求は、例えば“ＩＡＣ  ＲＥＭＯＴＥ  ＤＯＷＮ  ＣＡＩ”という文字列によって表される。
【００９９】
測定サーバ２０の子機制御部２５２は、遠隔測定開始要求を受信すると、測定部２５１に対し受付開始指示の送信及び通信開始コマンドの実行を指示する。測定部２５１は、この指示に応じて、受付開始指示を無線端末３０に送信し（ステップＳ２０２）、通信開始コマンドを実行する（ステップＳ２０４）。無線端末３０の測定部３５１は、受付開始指示の受信に応じて受付開始コマンドを実行する（ステップＳ２０３）。この後、測定サーバ２０の測定部２５１は、ステップＳ２０５〜ステップＳ２０９の処理を実行する。このとき、ステップＳ２０５〜ステップＳ２０９の処理は、図７に示された処理と同様に繰り返し実行される。
【０１００】
操作者４０は、測定サーバ２０の測定プログラムを停止させる際に、無線端末３０の入力部３３を操作することによって、遠隔測定停止指示を無線端末３０に入力する。この入力は、例えば操作者４０が入力部３３を操作して遠隔測定停止ボタンを押下することによって行われる。無線端末３０の測定部３５１は、遠隔測定停止指示の入力を受け付けると（ステップＳ５０３）、通信路が接続されている他方の装置（図１４の場合は測定サーバ２０）に対し、遠隔測定停止要求を送信する（ステップＳ５０４）。遠隔測定停止要求は、例えば“ＩＡＣ  ＲＥＭＯＴＥ  ＳＴＯＰ  ＣＡＩ”という文字列によって表される。
【０１０１】
測定サーバ２０の子機制御部２５２は、遠隔測定停止要求を受信すると、通信停止コマンドを実行する（ステップＳ２１１）。この後、ステップＳ２１２及びステップＳ２１３の処理が実行される。
【０１０２】
このように構成された測定システム１によれば、アクセスポイント１０（無線アクセスポイント）の通信環境を測定するための労力を低減することが可能となる。以下、このような効果の詳細について説明する。測定システム１では、測定サーバ２０又は無線端末３０のどちらか一方のみを操作者４０が操作すれば、アクセスポイント１０の通信環境の指標を取得することが可能となる。すなわち、操作者４０が測定サーバ２０を操作する際には、図６又は図７に示される処理が実行されることによって、無線端末３０を操作することなく測定サーバ２０において通信環境の指標を取得することが可能となる。また、操作者４０が無線端末３０を操作する際には、図１３又は図１４に示される処理が実行されることによって、測定サーバ２０を操作することなく無線端末３０において通信環境の指標を取得することが可能となる。また、通信環境の指標として、無線端末３０における受信強度を取得する際には、図１０に示される処理が実行されることによって、測定サーバ２０を操作することなく無線端末３０において通信環境の指標を取得することが可能となる。
【０１０３】
また、たとえ測定サーバ２０と無線端末３０との間の通信路が切断されてしまった場合であっても、図５に示される処理が実行されることによって、操作者４０が操作することなく通信路が再接続される。このようなことによっても、通信環境を測定するための労力を低減することが可能となる。
【０１０４】
以上、この発明の実施形態について図面を参照して詳述してきたが、具体的な構成はこの実施形態に限られるものではなく、この発明の要旨を逸脱しない範囲の設計等も含まれる。
【符号の説明】
【０１０５】
１…測定システム，  １０…アクセスポイント，  ２０…測定サーバ，  ２１…通信部，  ２２…表示部，  ２３…入力部，  ２４…設定情報記憶部，  ２５…制御部，  ２５１…測定部，  ２５２…子機制御部，  ３０…無線端末，  ３１…通信部，  ３２…表示部，  ３３…入力部，  ３４…設定情報記憶部，  ３５…制御部，  ３５１…測定部
【要約】
【課題】無線アクセスポイントの通信環境を測定するための労力を低減すること。
【解決手段】通信環境の測定対象となるアクセスポイントを介して通信可能に接続される測定サーバ及び無線端末を含む測定システムであって、測定サーバは、操作者の操作に応じて、通信環境の測定に係る処理を実行する測定部と、操作に応じて、無線端末に対して通信環境の測定に係る処理の実行を指示する子機制御部と、を備え、無線端末は、測定サーバによる指示に応じて、通信環境の測定に係る処理を実行し、実行された通信環境の測定に係る情報を測定サーバに送信する測定部、を備える。
【選択図】図６【図１】
0005942005.tif 000002
【図２】
0005942005.tif 000003
【図３】
0005942005.tif 000004
【図４】
0005942005.tif 000005
【図５】
0005942005.tif 000006
【図６】
0005942005.tif 000007
【図７】
0005942005.tif 000008
【図８】
0005942005.tif 000009
【図９】
0005942005.tif 000010
【図１０】
0005942005.tif 000011
【図１１】
0005942005.tif 000012
【図１２】
0005942005.tif 000013
【図１３】
0005942005.tif 000014
【図１４】
0005942005.tif 000015